(57)【要約】【課題】吐出孔から内容液を吐出したときに、吐出孔に内容液が残留するのを抑制する。【解決手段】ピストン４１は、シリンダ４２に対して下方移動したステム１２により押下される被押下部５３と、ステム内に上下摺動自在に嵌合された内筒部５２ａと、ステム内とシリンダ内との連通を遮断する閉塞部５２ｂと、を備えるとともに、ピストンガイド４３に上下動自在に外装され、ピストンガイドは、閉塞部にピストンの下側から当接することで、ステム内とシリンダ内との連通が遮断される当接部４３Ｅを備え、ピストンに対するピストンガイドの下方移動時に当接部が閉塞部から下方に離間することで、ステム内とシリンダ内とが連通し、ステムは被押下部から上方に離間している。【選択図】図１
2019131230.tif 000002
【特許請求の範囲】
【請求項１】
内容液が収容される容器本体の口部に、上方付勢状態で下方移動自在に配設されたステム、および前記ステムの上端部に装着されるとともに、前方に向けて開口する吐出孔が形成された吐出ヘッドを有するポンプと、
前記ポンプを前記容器本体の口部に装着する装着キャップと、
前記装着キャップの後部に立設された支持部材と、
前記支持部材に回転軸回りに回転自在に配設され、前記吐出ヘッドに連係する押下部材と、を備え、
前記ポンプは、
筒状のピストンと、
前記ピストンが上下摺動自在に収容されたシリンダと、
前記ステムから下方に向けて延設され、前記ピストンの内側を上下方向に貫くピストンガイドと、を備え、
前記押下部材を前記回転軸回りに下方に向けて回転させ、前記吐出ヘッド、前記ステムおよび前記ピストンガイドを、前記ピストンとともに前記シリンダに対して下方移動させることにより、前記シリンダ内の内容液が前記ステム内を通して前記吐出孔から吐出される吐出器であって、
前記ピストンは、前記シリンダに対して下方移動した前記ステムにより押下される被押下部と、前記ステム内に上下摺動自在に嵌合された内筒部と、前記ステム内と前記シリンダ内との連通を遮断する閉塞部と、を備えるとともに、前記ピストンガイドに上下動自在に外装され、
前記ピストンガイドは、前記閉塞部に前記ピストンの下側から当接することで、前記ステム内と前記シリンダ内との連通が遮断される当接部を備え、
前記ピストンに対する前記ピストンガイドの下方移動時に、前記当接部が前記閉塞部から下方に離間することで、前記ステム内と前記シリンダ内とが連通し、
前記ステムは、前記被押下部から上方に離間していることを特徴とする吐出器。
【請求項２】
前記吐出ヘッドは、前後方向に延びるノズル筒部を備え、
前記ノズル筒部の前端部内に、内側が前記吐出孔とされた筒体が嵌合され、
前記筒体の内周面は、全周にわたって、縦断面視で前後方向の全長にわたって直線状に延びていることを特徴とする請求項１に記載の吐出器。
【請求項３】
前記シリンダから下方に向けて延設された正倒立両用アダプタを備え、
前記正倒立両用アダプタに、
前記容器本体内に向けて開口する正立時導入孔と、
前記容器本体内に向けて開口するとともに、前記正立時導入孔より上方に配置された倒立時導入孔と、
前記正立時導入孔、前記倒立時導入孔、および前記シリンダ内に連通する連通路と、が形成され、
前記正倒立両用アダプタは、この吐出器の正立時に、前記倒立時導入孔と前記連通路との連通を遮断し、かつ倒立時に、前記倒立時導入孔と前記連通路とを連通する切替弁を備えることを特徴とする請求項１または２に記載の吐出器。
【発明の詳細な説明】
【技術分野】
【０００１】
本発明は、吐出器に関するものである。
【背景技術】
【０００２】
従来から、内容液が収容される容器本体の口部に、上方付勢状態で下方移動自在に配設されたステム、およびステムの上端部に装着されるとともに、前方に向けて開口する吐出孔が形成された吐出ヘッドを有するポンプと、ポンプを容器本体の口部に装着する装着キャップと、装着キャップの後部に立設された支持部材と、支持部材に回転軸回りに回転自在に配設され、吐出ヘッドに連係する押下部材と、を備える吐出器が知られている。
この種の吐出器として、例えば下記特許文献１に示されるような、ポンプが、筒状のピストンと、ピストンが上下摺動自在に収容されたシリンダと、ステムから下方に向けて延設され、ピストンの内側を上下方向に貫くピストンガイドと、を備える構成が知られている。
以上の構成において、押下部材を前記回転軸回りに下方に向けて回転させ、吐出ヘッド、ステムおよびピストンガイドを、ピストンとともにシリンダに対して下方移動させることにより、シリンダ内の内容液がステム内を通して吐出孔から吐出される。
【先行技術文献】
【特許文献】
【０００３】
【特許文献１】特開２０１７−２１４０８７号公報
【発明の概要】
【発明が解決しようとする課題】
【０００４】
しかしながら、前記吐出器では、吐出孔から内容液を吐出したときに、吐出孔に内容液が残留し、吐出孔から内容液が垂れ落ちるおそれがあった。
【０００５】
本発明は、このような事情を考慮してなされたもので、吐出孔から内容液を吐出したときに、吐出孔に内容液が残留するのを抑制することができる吐出器を提供することを目的とする。
【課題を解決するための手段】
【０００６】
上記課題を解決して、このような目的を達成するために、本発明の吐出器は、内容液が収容される容器本体の口部に、上方付勢状態で下方移動自在に配設されたステム、および前記ステムの上端部に装着されるとともに、前方に向けて開口する吐出孔が形成された吐出ヘッドを有するポンプと、前記ポンプを前記容器本体の口部に装着する装着キャップと、前記装着キャップの後部に立設された支持部材と、前記支持部材に回転軸回りに回転自在に配設され、前記吐出ヘッドに連係する押下部材と、を備え、前記ポンプは、筒状のピストンと、前記ピストンが上下摺動自在に収容されたシリンダと、前記ステムから下方に向けて延設され、前記ピストンの内側を上下方向に貫くピストンガイドと、を備え、前記押下部材を前記回転軸回りに下方に向けて回転させ、前記吐出ヘッド、前記ステムおよび前記ピストンガイドを、前記ピストンとともに前記シリンダに対して下方移動させることにより、前記シリンダ内の内容液が前記ステム内を通して前記吐出孔から吐出される吐出器であって、前記ピストンは、前記シリンダに対して下方移動した前記ステムにより押下される被押下部と、前記ステム内に上下摺動自在に嵌合された内筒部と、前記ステム内と前記シリンダ内との連通を遮断する閉塞部と、を備えるとともに、前記ピストンガイドに上下動自在に外装され、前記ピストンガイドは、前記閉塞部に前記ピストンの下側から当接することで、前記ステム内と前記シリンダ内との連通が遮断される当接部を備え、前記ピストンに対する前記ピストンガイドの下方移動時に、前記当接部が前記閉塞部から下方に離間することで、前記ステム内と前記シリンダ内とが連通し、前記ステムは、前記被押下部から上方に離間していることを特徴とする。
【０００７】
この発明によれば、押下部材を前記回転軸回りに下方に向けて回転させ、吐出ヘッド、ステム、およびピストンガイドを下方移動させると、ステムが、ピストンの被押下部から上方に離間していることから、まず、ピストンは下方移動せず、ステムがピストンの内筒部に摺接しながら下方移動し、また、ピストンガイドの当接部が、ピストンの閉塞部から下方に離間して、ステム内とシリンダ内とが連通する。そして、ステムがピストンの被押下部に当接した後は、ピストンガイドの当接部とピストンの閉塞部との間の上下方向の隙間を保ったまま、ピストンもステムにより下方移動させられる。これにより、シリンダ内が加圧され、シリンダ内の内容液がステム内を上昇して吐出孔から吐出される。
次に、押下部材に加えた力を解除すると、ステムに加えられている上方付勢力により、吐出ヘッド、ステム、およびピストンガイドが上方に復元移動する。この過程において、まず、ピストンガイドの当接部が、ピストンの閉塞部から下方に離間していて、ピストンは上方移動しないことから、ステムがピストンの内筒部に摺接しながら上方移動する。これにより、ステム内に下方に吸引する流れが生ずることとなり、吐出ヘッド内の内容液をステム側に吸い込むことが可能になり、内容液が吐出孔に残留するのを抑制することができる。
その後引き続き、吐出ヘッド、ステム、およびピストンガイドが上方に復元移動するのに伴い、ピストンガイドの当接部がピストンの閉塞部に当接して、ステム内とシリンダ内との連通を遮断し、その後、この状態を維持したまま、ピストンガイドの当接部が閉塞部を介してピストンを押し上げることにより、ピストンも上方に復元移動する。これにより、シリンダ内が負圧になり、容器本体内の内容液がシリンダ内に流入する。
【０００８】
ここで、前記吐出ヘッドは、前後方向に延びるノズル筒部を備え、前記ノズル筒部の前端部内に、内側が前記吐出孔とされた筒体が嵌合され、前記筒体の内周面は、全周にわたって、縦断面視で前後方向の全長にわたって直線状に延びてもよい。
【０００９】
この場合、筒体の内周面が、全周にわたって、縦断面視で前後方向の全長にわたって直線状に延びていることから、吐出孔に残留した内容液が外部に垂れ落ちやすくなっているので、前述の作用効果が顕著に奏功される。
【００１０】
また、前記シリンダから下方に向けて延設された正倒立両用アダプタを備え、前記正倒立両用アダプタに、前記容器本体内に向けて開口する正立時導入孔と、前記容器本体内に向けて開口するとともに、前記正立時導入孔より上方に配置された倒立時導入孔と、前記正立時導入孔、前記倒立時導入孔、および前記シリンダ内に連通する連通路と、が形成され、前記正倒立両用アダプタは、この吐出器の正立時に、前記倒立時導入孔と前記連通路との連通を遮断し、かつ倒立時に、前記倒立時導入孔と前記連通路とを連通する切替弁を備えてもよい。
【００１１】
この場合、吐出器の正立時および倒立時の双方において、容器本体内の内容液をシリンダ内に供給することが可能になり、優れた操作性を具備させることができる。
【発明の効果】
【００１２】
本発明によれば、吐出孔から内容液を吐出したときに、吐出孔に内容液が残留するのを抑制することができる。
【図面の簡単な説明】
【００１３】
【図１】本発明に係る一実施形態として示した吐出器の縦断面図である。
【図２】図１に示すポンプ、装着キャップ、支持部材、および押下部材の縦断面図である。
【図３】図２に示す吐出器の要部を示す拡大図である。
【図４】図２に示す吐出器であって、押下部材を下降端位置まで押下げた状態を示す縦断面図である。
【図５】図４に示す吐出器の要部を示す拡大図である。
【図６】図４に示す吐出器であって、押下部材の押下げを解除した直後を示す縦断面図である。
【図７】図６に示す吐出器の要部を示す拡大図である。
【図８】図１に示す正倒立両用アダプタの縦断面図である。
【発明を実施するための形態】
【００１４】
以下、本発明に係る吐出器の実施形態について、図１から図８を参照して説明する。
吐出器１は、内容液が収容される容器本体２の口部３に、上方付勢状態で下方移動自在に配設されたステム１２、およびステム１２の上端部に装着されるとともに、前方に向けて開口する吐出孔１３Ａが形成された吐出ヘッド１３を有するポンプ１０と、ポンプ１０を容器本体２の口部３に装着する装着キャップ１１と、装着キャップ１１の後部に立設された支持部材１５と、支持部材１５に回転軸Ｌ回りに回転自在に配設され、吐出ヘッド１３に連係する押下部材１６と、正倒立両用アダプタ２００と、を備える。
【００１５】
ポンプ１０は、筒状のピストン４１と、ピストン４１が上下摺動自在に収容されたシリンダ４２と、ステム１２から下方に向けて延設され、ピストン４１の内側を上下方向に貫くピストンガイド４３と、を備える。
【００１６】
ここで、装着キャップ１１、ステム１２、ピストン４１、シリンダ４２、およびピストンガイド４３は、それぞれの中心軸線が共通軸上に位置した状態で配設されている。
以下、この共通軸を中心軸線Ｏといい、中心軸線Ｏに沿う方向を上下方向という。また、上下方向から見た平面視において、中心軸線Ｏに交差する方向を径方向といい、中心軸線Ｏ回りに周回する方向を周方向という。前記平面視において、径方向のうち、吐出ヘッド１３の吐出孔１３Ａが開口する方向を前方といい、その逆方向を後方といい、また、上下方向および前後方向の双方向に直交する方向を左右方向という。
【００１７】
装着キャップ１１は、中央に開口部が形成された円環状の頂壁部１１ａと、頂壁部１１ａの外周縁から下方に向けて延びる円筒状の周壁部１１ｂと、を有する。周壁部１１ｂの内周面には、容器本体２の口部３における外周面に形成された雄ネジに螺着する雌ネジが形成されている。
ステム１２は、容器本体２の口部３に上方付勢状態で下方移動自在に立設されている。ステム１２の下部の内径および外径は、ステム１２の上部の内径および外径よりも大きい。ステム１２の上部と下部との間には、テーパ状の段筒部１２Ａが形成されている。
【００１８】
吐出ヘッド１３は、ステム１２の上端部に装着された有頂筒状の装着筒部３１と、装着筒部３１から前方に向けて突設された筒状のノズル筒部３２と、を有する。
装着筒部３１は、ステム１２内に嵌合されている。装着筒部３１の上端部には、左右方向に突出する軸部１０Ａが形成されている。軸部１０Ａは左右方向から見て円形状を呈する。装着筒部３１の上端部に、後方に向けて突出する被係止部１２０が形成されている。
【００１９】
被係止部１２０は、左右方向に開口する一対の肉抜き孔１２１を有するブロック状に形成されている。被係止部１２０には、後述するストッパー１３０の規制位置から規制解除位置への移動を抑止するための係合突起１２２が形成されている。
係合突起１２２は、被係止部１２０の後端部から下方に突設されている。係合突起１２２の下端は、ステム１２の上端よりも上方に位置する。係合突起１２２の後部には、後方に向かうに従い漸次、上方に向けて延びる傾斜面１２２ａが形成されている。
【００２０】
ノズル筒部３２の前端部内に、内側が吐出孔１３Ａとされた筒体３６が嵌合されている。筒体３６の内周面は、全周にわたって、図２に示されるような縦断面視で、前後方向の全長にわたって直線状に延び、吐出孔１３Ａは、内容液を線状に吐出可能に形成されている。図示の例では、筒体３６の内径は、前後方向の全長にわたって同等になっている。
なお、ノズル筒部３２の前端部内にチップ若しくは発泡部材等を配設したり、ノズル筒部３２の前端部の形状を変更したりすること等により、内容液を霧状若しくは泡状等に吐出してもよい。
【００２１】
ピストン４１は、シリンダ４２内に上下摺動自在に嵌合された外筒ピストン５１と、外筒ピストン５１における径方向の内側に配置され、ピストンガイド４３に上下動自在に外装された内筒ピストン５２と、外筒ピストン５１と内筒ピストン５２とを連結する環状の被押下部５３と、を備える。これら外筒ピストン５１、内筒ピストン５２、および被押下部５３はそれぞれ、中心軸線Ｏと同軸に配設されている。図示の例では、外筒ピストン５１、内筒ピストン５２、および被押下部５３は一体に形成されている。
【００２２】
外筒ピストン５１は、図３に示すように、被押下部５３から上方に突出する上筒部５１ａと、被押下部５３から下方に突出する筒状の摺接部５１ｂと、を備える。
上筒部５１ａの外周面は、シリンダ４２の内周面に近接している。上筒部５１ａの内周面は、ステム１２の外周面に近接している。上筒部５１ａは、ステム１２の下端部を径方向の外側から囲繞している。摺接部５１ｂの下端部は、シリンダ４２の内周面に当接している。なお、上筒部５１ａを、シリンダ４２の内周面、およびステム１２の外周面に当接させてもよい。
【００２３】
内筒ピストン５２は、被押下部５３から上方に突出し、上端部がステム１２内に上下摺動自在に嵌合された内筒部５２ａと、被押下部５３から下方に突出し、ピストンガイド４３に上下動自在に外装され、かつステム１２内とシリンダ４２内との連通を遮断する筒状の閉塞部５２ｂと、を備える。
【００２４】
内筒部５２ａのうち、ステム１２内に位置する上部は、下方から上方に向かうに従い漸次、径方向の外側に向けて延びている。内筒部５２ａは、ピストンガイド４３の外周面と非接触となっている。
閉塞部５２ｂは、上方から下方に向かうに従い漸次、径方向の内側に向けて延びている。閉塞部５２ｂの下端部は、ピストンガイド４３の外周面に当接している。閉塞部５２ｂの下端部は、摺接部５１ｂの下端部より上方に位置している。
【００２５】
被押下部５３は、外筒ピストン５１および内筒ピストン５２それぞれの上下方向の中間部分に配設され、中心軸線Ｏと同軸に配設された環状をなしている。被押下部５３は、シリンダ４２に対して下方移動したステム１２により押下される。被押下部５３の上面は、全周にわたって連続して延びる平面になっている。被押下部５３の上面は、ステム１２の下端開口縁と上下方向で対向している。被押下部５３の上面に、径方向に延びるリブが周方向に間隔をあけて複数形成されている。
ステム１２は、被押下部５３から上方に離間している。
【００２６】
シリンダ４２は、多段の円筒状に形成されており、図２に示されるように、上下方向に延在する大径部６２と、大径部６２の下端部から下方に向けて延在し、大径部６２よりも内径および外径が小さい中径部６３と、中径部６３の下端部から下方に向けて延在し、中径部６３よりも内径および外径が小さい小径部６４と、を備える。
【００２７】
大径部６２の上部に、大径部６２の内外を連通させる空気孔６２Ｂが形成されている。大径部６２の上端部には、径方向の外側に向けて突出する円環状の支持板部６１が形成されている。支持板部６１の上面における外周部に、装着キャップ１１の頂壁部１１ａの下面が当接している。支持板部６１と容器本体２の口部３における上端開口縁との間に、第１パッキン６６が配設されている。装着キャップ１１の周壁部１１ｂが、口部３に螺着されることにより、支持板部６１および第１パッキン６６が、装着キャップ１１の頂壁部１１ａと、口部３と、の間に固定される。これら支持板部６１、大径部６２、中径部６３、および小径部６４は、中心軸線Ｏと同軸に配設されている。
【００２８】
支持板部６１の上面には、上方に向けて延び、かつ装着キャップ１１の頂壁部１１ａの開口部に挿通された立設筒部６０が形成されている。立設筒部６０の外径および内径は、大径部６２の外径および内径よりも大きくなっている。立設筒部６０の上端開口縁は、ステム１２の段筒部１２Ａと上下方向において同等の位置に位置している。
支持板部６１の上面は、図３に示されるように、ピストン４１の上筒部５１ａの上端開口縁と上下方向において同等の位置に位置している。支持板部６１のうち、立設筒部６０より径方向の内側に位置する内周部の上面、およびピストン４１の上筒部５１ａの上端開口縁に跨って環状の第２パッキン５６が配設されている。
【００２９】
小径部６４は、図２に示されるように、中径部６３の下端部から下方に向けて真っ直ぐ延びる上直筒部６７と、上直筒部６７の下端部から下方に向かうに従い漸次、内径および外径が小さくなるテーパ筒部６８と、テーパ筒部６８の下端部から下方に向けて真っ直ぐ延びる下直筒部６９と、を有する。テーパ筒部６８の内側には、弁体４４がテーパ筒部６８のテーパ面に離着自在に配設されている。
なお、弁体４４は、球状に形成された合成樹脂製のいわゆるボール弁とされている。弁体４４を合成樹脂製とすることで、廃棄時に弁体４４を分別する必要がない。また、弁体４４は、金属製等であってもよい。さらに、ボール弁に替わる種々の弁体を用いた逆止弁でもよい。
【００３０】
テーパ筒部６８の内周面には、径方向の外側から内側に向かうに従い漸次、上方に向けて延びる規制突部６８Ａが突設されている。規制突部６８Ａの上端の内径は、弁体４４の外径よりも小さくなっている。これにより、弁体４４が規制突部６８Ａから上方に離脱するのを規制している。なお、規制突部６８Ａには、周方向の延在を中断する間隙が形成されている。
【００３１】
ピストンガイド４３は、ステム１２から下方に向けて延びる周筒部４３Ｄおよび底壁部を備える有底筒状に形成されている。ピストンガイド４３の底壁部は、図３に示されるように、ピストン４１の閉塞部５２ｂよりも下方に位置している。底壁部には、径方向の外側に向けて突出する円環状のフランジ部４３Ａが形成されている。
ピストンガイド４３における周筒部４３Ｄの下端部に径方向の外側に向けて突出する当接部４３Ｅが形成されている。当接部４３Ｅは、上方に向かうに従い漸次、縮径されている。当接部４３Ｅは、フランジ部４３Ａの上面に接続されている。当接部４３Ｅは、閉塞部５２ｂにピストン４１の下側から当接する。当接部４３Ｅは、ピストン４１の閉塞部５２ｂの下端部に当接している。
【００３２】
ピストンガイド４３の周筒部４３Ｄには、ピストンガイド４３内とシリンダ４２内とを連通させる連通孔４３Ｂが形成されている。連通孔４３Ｂは、例えば中心軸線Ｏを径方向で挟む両側に配置されている。連通孔４３Ｂは、当接部４３Ｅよりも上方に位置している。これにより、連通孔４３Ｂとシリンダ４２の大径部６２内との連通が遮断されている。すなわち、当接部４３Ｅが、閉塞部５２ｂにピストン４１の下側から当接することで、連通孔４３Ｂおよびピストンガイド４３の周筒部４３Ｄ内を通した、シリンダ４２内とステム１２内との連通が遮断されている。
【００３３】
ピストンガイド４３の周筒部４３Ｄには、図２に示されるように、ピストンガイド４３内とステム１２内とを連通する貫通孔４３Ｃが形成されている。貫通孔４３Ｃは、連通孔４３Ｂと同様に、例えば中心軸線Ｏを径方向で挟む両側に配置されている。貫通孔４３Ｃは、連通孔４３Ｂよりも上方に配置され、ステム１２の段筒部１２Ａにおける内周面に向けて開口している。連通孔４３Ｂおよび貫通孔４３Ｃがピストンガイド４３に形成されていることで、ピストンガイド４３とピストン４１との間、並びにピストンガイド４３とステム１２との間の空気が滞留するのを防ぐことができる。
ピストンガイド４３のうち貫通孔４３Ｃよりも上側に位置する部分は、ステム１２内に嵌合している。これにより、ピストンガイド４３は、ステム１２とともに一体に上下動する。
【００３４】
ピストンガイド４３の下端部には、下方に向けて突出し、コイルバネ９５が外装されるガイド突部４３Ｆが形成されている。ガイド突部４３Ｆは、表裏面が周方向を向く板体が中心軸線Ｏ回りに複数配置されて構成されている。ガイド突部４３Ｆは、シリンダ４２における大径部６２の下部から中径部６３の上部にわたって配設されている。
コイルバネ９５のうち、上端部はフランジ部４３Ａの下面に当接し、下端部はシリンダ４２における上直筒部６７の上端開口縁（段部）に当接している。これにより、ピストンガイド４３およびステム１２は、コイルバネ９５から上向きの付勢力を受けている。
【００３５】
支持部材１５は、シリンダ４２の立設筒部６０に外装された有頂筒状の囲繞筒部１５ａと、囲繞筒部１５ａの頂壁から上方に向けて延びるガイド筒１５ｃと、囲繞筒部１５ａから後方に向けて突設され、左右方向に間隔をあけて配設された一対の側壁部７７と、側壁部７７の後端縁同士を左右方向に接続する後壁部７８と、を有している。
【００３６】
囲繞筒部１５ａの頂壁は環状に形成され、この頂壁の内周縁部にガイド筒１５ｃが配置されている。
ガイド筒１５ｃ内には、ステム１２が下方移動自在に挿通されている。
囲繞筒部１５ａの頂壁の下面には、内側にステム１２が挿通された内側垂下筒部１５ｄと、内側垂下筒部１５ｄと囲繞筒部１５ａの周壁との間に配置された外側垂下筒部１５ｅと、が形成されている。ガイド筒１５ｃ、内側垂下筒部１５ｄ、および外側垂下筒部１５ｅは、中心軸線Ｏと同軸に配設されている。
【００３７】
囲繞筒部１５ａの周壁の下端部は、装着キャップ１１の頂壁部１１ａと隙間を介して上下方向に対向している。
外側垂下筒部１５ｅは、立設筒部６０内に嵌合されている。外側垂下筒部１５ｅの下端開口縁は、第２パッキン５６を介して、シリンダ４２における支持板部６１の内周部の上面に押し当てられている。
内側垂下筒部１５ｄは、ステム１２の下部に外装されている。内側垂下筒部１５ｄの下端開口縁は、第２パッキン５６を介して、ピストン４１の上筒部５１ａの上端開口縁に押し当てられている。
第２パッキン５６は、ステム１２の下端部に外嵌されている。第２パッキン５６は、ステム１２と、ガイド筒１５ｃおよび内側垂下筒部１５ｄと、の間に画成された外気導入路Ｒと、シリンダ４２内のうち、ピストン４１の摺接部５１ｂより上方に位置する上部空間と、の連通を遮断可能である。
【００３８】
側壁部７７は、前側から後側に向かうに従い漸次、上側に向けて延びている。側壁部７７の上端には、左右方向から見た正面視で上方に向けて突の半円形状に形成された突出片８０が形成されている。突出片８０には、円柱状の軸体７７Ａが左右方向の外側に向けて突設されている。軸体７７Ａは、ステム１２より後方に配置されている。軸体７７Ａの中心を通り、かつ左右方向に延びる仮想の軸線が押下部材１６の揺動軸Ｌとなる。これにより、揺動軸Ｌは、ステム１２より後方に配置されるとともに左右方向に延びている。
後壁部７８の内面には、上方に向かって突出し、一対の側壁部７７の内面同士および突出片８０同士を左右方向に一体に連結する補強壁７８ａが形成されている。
【００３９】
押下部材１６は、軸体７７Ａを介して支持部材１５に取り付けられている。これにより、押下部材１６は、支持部材１５に対して揺動軸Ｌ回りに揺動可能に連結されている。
押下部材１６は、吐出ヘッド１３を上方から覆う天板部９０と、天板部９０の前端縁から前方に向かうに従い漸次、下方に向けて延びる前板部９１と、天板部９０の左右両側の側端縁から下方に向けて延在し、左右方向に向かい合う一対の側板部９２と、を有する。
そして、天板部９０と一対の側板部９２とで囲まれる内部空間に吐出ヘッド１３が配置されている。よって、一対の側板部９２は、吐出ヘッド１３を左右方向から挟むように配置されている。
【００４０】
天板部９０は、上方に向けて膨らむように滑らかに湾曲した形状とされ、その後端部は支持部材１５における後壁部７８の上端部に上方から当接している。これにより、押下部材１６は、揺動軸Ｌを中心としたこれ以上の上方への揺動が規制されている。
天板部９０の前側部分には、天板部９０を貫通する第１貫通孔９３が形成されている。この第１貫通孔９３は、天板部９０における左右方向の中央部分に形成されているとともに、前方に開口している。これにより、天板部９０の前側部分は、左右方向に二股に分かれた形状とされている。前板部９１は、二股に分かれた天板部９０の前端縁から前方に向かうに従い漸次、下方に向けて延在している。
【００４１】
第１貫通孔９３内に吐出ヘッド１３のノズル筒部３２が挿通されている。これにより、ノズル筒部３２は、第１貫通孔９３を通して前板部９１から前方に向けて突出しており、押下部材１６と吐出ヘッド１３との中心軸線Ｏ回りにおける相対的な回転が規制されている。なお、前板部９１の下側部分は、指先を掛けるための指掛部分とされている。
【００４２】
押下部材１６の一対の側板部９２は、支持部材１５の一対の側壁部７７における上部を左右方向に挟んでいる。これにより、支持部材１５と押下部材１６との中心軸線Ｏ回りにおける相対的な回転が規制されている。一対の側板部９２の後部側の内面には、軸体７７Ａが挿通される軸孔部９２Ａが形成されている。これにより、押下部材１６は、軸体７７Ａ回り、すなわち揺動軸Ｌ回りに揺動可能に支持される。
【００４３】
押下部材１６には、吐出ヘッド１３の軸部１０Ａに係合する係合溝３１Ａが形成されている。係合溝３１Ａは、押下部材１６の一対の側板部９２から左右方向の内側に向けて張り出した板部の下端部に、下方に向けて開口する半円形状に形成されている。この係合溝３１Ａ内に軸部１０Ａが挿入されている。
以上の構成において、押下部材１６を揺動軸Ｌ回りに下方に揺動すると、係合溝３１Ａの内周面が軸部１０Ａの外周面を下方に向けて押し込むことにより、ステム１２およびピストンガイド４３が、コイルバネ９５の上方付勢力に抗して下降する。
【００４４】
さらに本実施形態では、吐出器１は、吐出ヘッド１３の下方移動を規制するストッパー１３０を備える。なお、吐出器１はストッパー１３０を有しなくてもよい。
ストッパー１３０は、押下部材１６の揺動軸Ｌに平行な軸体１３１回りに揺動可能に設けられ、吐出ヘッド１３の下方移動を規制する。ストッパー１３０は、吐出ヘッド１３の下方移動を規制する規制位置（図１および図２に示す位置）と、規制位置に対して軸体１３１回りに後方に揺動し、吐出ヘッド１３の下方移動を許容する規制解除位置（図４および図６に示す位置）と、の間を移動自在に配設されている。
【００４５】
ストッパー１３０は、一対の側壁部７７の間に架設された軸体１３１と、軸体１３１の上方に配設され、図１および図２に示す規制位置に位置するときに、被係止部１２０の下面とガイド筒１５ｃの上端開口縁との間に挟み込まれる被挟持部１３２と、軸体１３１における左右方向の両端部に接続され、側板部９２における左右方向の外側に位置する一対の摘み部１３４と、を備える。
軸体１３１は、左右方向に延在する棒状に形成され、軸体１３１の左右方向の両端部は、一対の側壁部７７に形成された支持凹部８２に中心軸回りに回転可能に嵌め込まれている。支持凹部８２は、ステム１２よりも後方であって、揺動軸Ｌよりも前方に配置されている。
【００４６】
図８に示すように、正倒立両用アダプタ２００は、筒状に形成され、シリンダ４２から下方に向けて延設されている。
正倒立両用アダプタ２００は、中心軸線Ｏと同軸に配設されている。正倒立両用アダプタ２００は、シリンダ４２に外嵌された円筒状の外側筒部材２１１と、外側筒部材２１１内に嵌合された内側筒部材２１２と、を有する。これら外側筒部材２１１、および内側筒部材２１２は、中心軸線Ｏと同軸に配設されている。
【００４７】
外側筒部材２１１は、上部内にシリンダ４２の小径部６４が嵌合された円筒状の外筒部２１４と、外筒部２１４の上下方向の中間部分に配設され、外筒部２１４の内部を上下に仕切る仕切壁部２１５と、仕切壁部２１５から下方に延設され内側筒部材２１２の上端部が連結される円筒状の連結筒部２１７と、を有する。
【００４８】
仕切壁部２１５には、上下方向に貫く通液孔２１９が形成されている。連結筒部２１７の上端部のうち、一部の外周面は、外筒部２１４の内周面に接続され、他の部分の外周面は、外筒部２１４の内周面から径方向の内側に離間している。そして、外側筒部材２１１には、連結筒部２１７の前記一部および外筒部２１４を一体に径方向に貫く倒立時導入孔２２１が形成されている。倒立時導入孔２２１は、吐出器１の倒立時に容器本体２内の内容液を連結筒部２１７内に導入可能に設けられている。
【００４９】
内側筒部材２１２は、上端部が連結筒部２１７に連結された円筒状の上側筒部２２２と、上側筒部２２２よりも下方に配設され、かつ下端部が外側筒部材２１１の下端部よりも下方に位置する円筒状の下側筒部２２３と、上側筒部２２２と下側筒部２２３とを結合する円筒状の結合筒部２２４と、を有する。
【００５０】
上側筒部２２２の上端部は、連結筒部２１７に外嵌されている。上側筒部２２２の外周面と外筒部２１４の内周面との間には、内容液を流通させる第１流路ｒ１が形成されている。この第１流路ｒ１の上端は、通液孔２１９の下端に連通している。上側筒部２２２の下端部は、内径および外径が下方に向かうに従い漸次縮径するテーパ状をなしている。上側筒部２２２の下端部内に、球状の切替弁２２５が上方に向けて離反自在に配設されている。切替弁２２５は、例えば金属材料等で形成されている。
【００５１】
結合筒部２２４の外周面と、外筒部２１４の内周面と、の間には、内容液を流通させる第２流路ｒ２が形成されている。この第２流路ｒ２の上端は、第１流路ｒ１の下端に連通している。結合筒部２２４には、その内部と第２流路ｒ２とを連通する連絡孔２２６が形成されている。連絡孔２２６は、結合筒部２２４に周方向に間隔をあけて複数形成されている。
【００５２】
下側筒部２２３の内側は、吐出器１の正立時に、容器本体２内の内容液を外側筒部材２１１の内側に導入可能な正立時導入孔２２９となっている。下側筒部２２３は、外側筒部材２１１の下端部内に嵌合されている。正立時導入孔２２９内に、下端開口が容器本体２内に向けて開口する円筒状のパイプ２１３の上端部が嵌合されている。パイプ２１３の下端開口は、容器本体２内の底部に向けて開口する。
ここで連絡孔２２６、第２流路ｒ２、第１流路ｒ１および通液孔２１９は、正立時導入孔２２９、および倒立時導入孔２２１と、シリンダ４２の下直筒部６９における下端開口と、を連通する連通路ｒ３を構成している。正立時導入孔２２９は、倒立時導入孔２２１より下方に配置されている。
【００５３】
次に、上述のように構成された吐出器１の使用方法について説明する。
まず、ストッパー１３０を図１および図２に示す規制位置から後方に揺動させて、図４に示す規制解除位置に移動させる。詳しく説明すると、摘み部１３４を操作して、被挟持部１３２の上端部が係合突起１２２を乗り越えて被係止部１２０よりも後方に位置するまで、ストッパー１３０を後方側に向けて軸体１３１回りに揺動させる。これにより、ストッパー１３０による吐出ヘッド１３の下方移動の規制が解除され、押下部材１６の下方への揺動が許容される。
【００５４】
その後、押下部材１６を回転軸Ｌ回りに下方に向けて回転させる。
この際、例えば押下部材１６の前板部９１の指掛部分に指先を掛けながら、コイルバネ９５の付勢力に抗して押下部材１６を下方に向けて回転させる。押下部材１６を下方に向けて回転させると、吐出ヘッド１３が下方移動し、弁体４４によってシリンダ４２のテーパ筒部６８内を閉塞した状態で、ステム１２およびピストン４１をシリンダ４２に対して押し込んで、シリンダ４２内を正圧にする。すると、シリンダ４２内の内容液がステム１２内を上昇してノズル筒部３２内に導入され、吐出ヘッド１３の吐出孔１３Ａから吐出される。
【００５５】
詳しくは、吐出ヘッド１３、ステム１２、およびピストンガイド４３を下方移動させると、ステム１２が、ピストン４１の被押下部５３から上方に離間していることから、まず、ピストン４１は下方移動せず、ステム１２がピストン４１の内筒部５２ａに摺接しながら下方移動し、また、ピストンガイド４３の当接部４３Ｅが、ピストン４１の閉塞部５２ｂから下方に離間して、ステム１２内とシリンダ４２内とが連通する。このうち、図５に示されるように、ピストンガイド４３の当接部４３Ｅが、ピストン４１の閉塞部５２ｂから下方に離間すると、閉塞部５２ｂの下端部とピストンガイド４３の外周面との間に、径方向の間隙が生じ、この間隙を通して、ピストンガイド４３の連通孔４３Ｂが、シリンダ４２内に開放される。
【００５６】
そして、ステム１２がピストン４１の被押下部５３に当接した後は、ステム１２に加えられた押し下げ力が、被押下部５３を介してピストン４１に伝えられるため、ピストンガイド４３の当接部４３Ｅとピストン４１の閉塞部５２ｂとの間の上下方向の隙間は保たれたまま、ピストン４１がステム１２およびピストンガイド４３と一体となって、シリンダ４２に対して下方移動する。これにより、シリンダ４２内が加圧され、シリンダ４２内の内容液が、閉塞部５２ｂの内周面とピストンガイド４３の外周面との間の間隙、並びに連通孔４３Ｂを通ってピストンガイド４３内に流入する。さらに、シリンダ４２内の内容液は、閉塞部５２ｂの内周面とピストンガイド４３の外周面との間の間隙、ステム１２における下部および段筒部１２Ａの各内周面とピストンガイド４３の外周面との間の間隙、並びに貫通孔４３Ｃを通ってピストンガイド４３内に流入する。
そして、ピストンガイド４３内に流入した内容液は、ステム１２の上部内を流動してノズル筒部３２に至り、ノズル筒部３２の吐出孔１３Ａから吐出される。この結果、容器本体２内に収容された内容液を、吐出孔１３Ａを通じて外部に吐出することができる。
【００５７】
次に、押下部材１６に加えた力を解除すると、ステム１２およびピストンガイド４３に加えられている、コイルバネ９５からの上方付勢力により、吐出ヘッド１３、ステム１２、およびピストンガイド４３が上方に復元移動する。
この際、押下部材１６が係合溝３１Ａの内面を介して吐出ヘッド１３により上方に押し上げられる。これにより、押下部材１６が回転軸Ｌ回りの上方に回転する。このように、押下部材１６の下方への移動に伴い吐出ヘッド１３が下降し、吐出ヘッド１３の上昇に伴い押下部材１６が上方に移動する。すなわち、吐出ヘッド１３および押下部材１６は、いずれか一方の移動に連係して上下動する。
【００５８】
ここで、吐出ヘッド１３等が上方に復元移動する過程において、図６および図７に示されるように、まず、ピストンガイド４３の当接部４３Ｅが、ピストン４１の閉塞部５２ｂから下方に離間していて、ピストン４１は上方移動しないことから、ステム１２がピストン４１の内筒部５２ａに摺接しながら上方移動する。
その後引き続き、吐出ヘッド１３、ステム１２、およびピストンガイド４３が上方に復元移動するのに伴い、ピストンガイド４３の当接部４３Ｅがピストン４１の閉塞部５２ｂに当接して、ステム１２内とシリンダ４２内との連通を遮断し、その後、この状態を維持したまま、ピストンガイド４３の当接部４３Ｅが閉塞部５２ｂを介してピストン４１を押し上げることにより、ピストン４１も上方に復元移動する。
【００５９】
これにより、シリンダ４２内が負圧になり、この負圧が、弁体４４に作用してテーパ筒部６８内を開放し、図８に示す切替弁２２５に連通路ｒ３を通して作用すると、吐出器１の正立時には、切替弁２２５が、上側筒部２２２の下端部の内周面に押し付けられ、倒立時導入孔２２１と連通路ｒ３との連通を遮断した状態に維持する。その結果、容器本体２内の内容液が、正立時導入孔２２９、結合筒部２２４内および連通路ｒ３を通してシリンダ４２の下端開口に到達してシリンダ４２内に流入する。
【００６０】
一方、吐出器１の倒立時には、容器本体２内の底部に開口するパイプ２１３の下端開口が、容器本体２内の内容液の液面から突出する。しかも、倒立時導入孔２２１が、容器本体２内の内容液中に位置した状態で、切替弁２２５がその自重により上側筒部２２２の下端部の内周面から離反しており、倒立時導入孔２２１と連通路ｒ３とが結合筒部２２４内を通して連通している。したがって、シリンダ４２内で負圧が発生することで、容器本体２内の内容液が、倒立時導入孔２２１、結合筒部２２４内および連通路ｒ３を通してシリンダ４２の下端開口に到達してシリンダ４２内に流入する。
【００６１】
吐出器１の正立時および倒立時いずれの場合であっても、吐出ヘッド１３、ステム１２およびピストン４１をシリンダ４２に対して一体的に押下させると、シリンダ４２内のうちピストン４１より下方に位置する下部空間が加圧され、この下部空間内の内容液がステム１２内を上昇して吐出孔１３Ａから吐出される。この過程において、第２パッキン５６が外気導入路Ｒの下端開口を開放し、外気導入路Ｒとシリンダ４２内の上部空間とが連通し、外気がシリンダ４２内の上部空間に導入される。
【００６２】
吐出ヘッド１３、ステム１２およびピストン４１の押下げを解除して、これらを上方に復元変位させると、シリンダ４２内の下部空間が負圧になり、容器本体２内の内容液がシリンダ４２内の下部空間に導入される。この過程において、上部空間の空気は、空気孔６２Ｂを通してシリンダ４２内の上部空間と容器本体２内とが連通することで、容器本体２内に導入される。
【００６３】
その後、ステム１２およびピストン４１が元に戻ると、第２パッキン５６により、外気導入路Ｒとシリンダ４２内の上部空間との連通が遮断され、外気導入路Ｒを通した容器本体２内と外部との連通が遮断される。
なお、外気導入路Ｒとシリンダ４２内の上部空間との連通を遮断する第２パッキン５６が配設されているので、吐出器１が倒立等して、容器本体２内の内容液がシリンダ４２内の上部空間に到達しても、この内容液が外気導入路Ｒを通して外部に漏出するのを防ぐことができる。
【００６４】
以上説明したように、本実施形態に係る吐出器１によれば、吐出ヘッド１３等が上方に復元移動する過程において、ステム１２が、ピストン４１の内筒部５２ａに摺接しながらピストン４１に対して上方移動することから、ステム１２内に下方に吸引する流れを生じさせることができる。これにより、吐出ヘッド１３内の内容液をステム１２側に吸い込むことが可能になり、内容液が吐出孔１３Ａに残留するのを抑制することができる。
【００６５】
また、筒体３６の内周面が、縦断面視で、前後方向の全長にわたって直線状に延びていることから、吐出孔１３Ａに残留した内容液が外部に垂れ落ちやすくなっているので、前述の作用効果が顕著に奏功される。
また、吐出器１の正立時および倒立時の双方において、容器本体２内の内容液をシリンダ４２内に供給することが可能になり、優れた操作性を具備させることができる。
【００６６】
本発明は上記した実施の形態に限定されるものではなく、その趣旨を逸脱しない範囲で適宜変更可能である。
【００６７】
例えば  前記実施形態では、正倒立両用アダプタ２００を備える構成を示したが、正倒立両用アダプタ２００を設けなくてもよい。この場合、パイプ２１３はシリンダ４２の下端に取り付けられる。
【００６８】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６９】
１  吐出器
２  容器本体
３  口部
１０  ポンプ
１１  装着キャップ
１２  ステム
１３  吐出ヘッド
１３Ａ  吐出孔
１５  支持部材
１６  押下部材
２５  弾性片
４１  ピストン
４２  シリンダ
４３  ピストンガイド
４３Ｅ  当接部
５２ａ  内筒部
５２ｂ  閉塞部
５３  被押下部
２００  正倒立両用アダプタ
２２１  倒立時導入孔
２２５  切替弁
２２９  正立時導入孔
ｒ３  連通路
Ｌ  回転軸
【図１】
2019131230.tif 000003
【図２】
2019131230.tif 000004
【図３】
2019131230.tif 000005
【図４】
2019131230.tif 000006
【図５】
2019131230.tif 000007
【図６】
2019131230.tif 000008
【図７】
2019131230.tif 000009
【図８】
2019131230.tif 000010